(57)【要約】【課題】デザイン上の制約を受けることなく、一つの操作部の操作によって、ロック機構を解除するに際し、誤操作が起こり得ない構造を備えた装身具用中留め、装身具及び時計を提供する。【解決手段】上箱１２と、この上箱に連結された下板１６とを有し、上箱１２にはこの上箱内に下板が収められた場合、下板１６に設けられた食付き部１８に食い付いて上箱１２からの下板１６の離脱を阻止するロック機構を備え、このロック機構を解除する一つの操作部２１とその先端には折り畳み部２５を備え、この折り畳み部２５を初期位置から当該操作部２１と水平位置に移動させた後、且つ、折り畳み部２５を含む当該操作部２１を上箱１２内方へ移動させることにより、ロック機構を解除させる。【選択図】      図２
2004283356.tif 000002
【特許請求の範囲】
【請求項１】
上箱と、この上箱に連結された下板とを有し、上箱にはこの上箱内に下板が収められた場合、下板に設けられた食付き部に食い付いて上箱からの下板の離脱を阻止するロック機構を備え、このロック機構を解除する一つの操作部を備え、この操作部先端には折り畳み部を備え、この折り畳み部を前記操作部と水平位置に可動させ、且つ前記操作部と折り畳み部を上箱内方へ押し込むことにより、前記ロック機構を解除させることを特徴とする装身具用中留め。
【請求項２】
請求項１の中留めを備えることを特徴とする装身具。
【請求項３】
時計本体と、時計バンドを有し、この時計バンドが中留めを備えた時計において、
前記中留めが、
外周面から突出した操作部材と、前記操作部材を位置決めする錠止部と、前記操作部材の押しこみ操作によって、前記操作部材と前記錠止部との係合状態を解除する中留め機構を備え、前記操作部材先端は折り曲げ可能となっており、前記操作部材先端が折り曲げられたとき、前記操作部材先端が前記外周面に当接されることにより前記係合状態が維持されることを特徴とする時計。
【発明の詳細な説明】
【０００１】
【発明の属する技術分野】
本発明は、例えば、誤操作等によりロックが解除されることがない装身具用中留め、装身具及び時計に関する。
【０００２】
【従来の技術】
一般に、時計本体と時計バンドとを有し、このバンドが中留めを備えた腕時計が知られている。この種のものでは、バンドの一部を構成する中留めが、上箱と、この上箱に連結された下板とを有し、上箱にはこの上箱内に下板が収められた場合、下板に設けられた食付き部に食い付いて上箱からの下板の離脱を阻止するロック機構を備えて構成される。このロック機構は、上箱の両側に設けた一対の操作部を、上箱の内方に押し込むことにより解除される。しかし、上箱の両側に操作部を配置した場合、構造上、上箱の幅が大きくなり、女性用等の細幅バンドではデザイン上の制約を受けるという問題がある。
これに対し、構造を簡素化するために、一対の操作部を形成することなく、一つの操作部だけを形成して、この一つの操作部の操作によって、ロック機構を解除することが提案されている。
【０００３】
一対の操作部を、上箱の内方に押し込むことによりロック解除される構成では、一つの操作部だけが押し込まれても、ロック解除されることはないから、誤操作によるロック解除が少ない。
これに対して、一つの操作部の操作によって、ロック解除される構成では、ロック解除する意志に反し、例えば、何かに操作部が接触しただけでも、ロック解除される事態が起こり得るという問題がある。
意志に反してロックが解除された場合、例えば、腕から腕時計が外れ、これを紛失してしまう恐れがある。
このような不用意な外れ等を防止するため、従来、上箱の側壁に押し操作用の凹形状の切り欠きを形成し、この切り欠き内に操作部を収めて、意志に反した誤操作を防止するものが提案されている（特許文献１）。
【特許文献１】
実用新案登録第３０３７３８１号公報
【０００４】
【発明が解決しようとする課題】
しかし、従来の技術では、上箱の両側に操作部を配置した場合と同様に、構造上、上箱の幅が大きくなり、女性用等の細幅バンドではデザイン上の制約を受けるという問題がある。例えば、上箱の最小幅を６ｍｍに抑えようとした場合、それが不可能になる等の問題がある。
そこで、本発明の目的は、上述した従来の技術が有する課題を解消し、デザイン上の制約を受けることなく、一つの操作部の操作によって、ロック機構を解除するに際し、誤操作が起こり得ない構造を備えた装身具用中留め、装身具及び時計を提供することにある。
【０００５】
【課題を解決するための手段】
請求項１記載の発明は、上箱と、この上箱に連結された下板とを有し、上箱にはこの上箱内に下板が収められた場合、下板に設けられた食付き部に食い付いて上箱からの下板の離脱を阻止するロック機構を備え、このロック機構を解除する一つの操作部を備え、この操作部先端には折り畳み部を備え、前記折り畳み部を操作部と水平位置に可動させ、且つ操作部と折り畳み部を上箱内方へ押し込むことにより、前記ロック機構を解除させることを特徴とする。
【０００６】
請求項２記載の発明は、請求項１記載の中留めを備えた事を特徴とする。
請求項３記載の発明は、時計本体と時計バンドとを有し、この時計バンドが中留めを備えた時計において、前記中留めが、上箱と、この上箱に連結された下板とを有し、上箱にはこの上箱内に下板が収められた場合、下板に設けられた食付き部に食い付いて上箱からの下板の離脱を阻止するロック機構を備え、このロック機構を解除する一つの操作部を備え、この操作部先端には折り畳み部を備え、前記折り畳み部を操作部と水平位置に可動させ、且つ操作部と折り畳み部を上箱内方へ押し込むことにより、前記ロック機構を解除させることを特徴とする。
【０００７】
【発明の実施の形態】
以下、本発明による実施形態を添付の図面を参照して説明する。
図１は、本発明の実施形態に係る腕時計の外観構成を示す図である。この腕時計１は、時刻表示を行う時計本体３と、この時計本体３に連結されたバンド５とから構成される。時計本体３は、ステンレス、チタン等で形成された金属ケース内に、時計表示部が内蔵されて構成される。
なお、本実施形態では、時刻をアナログ表示する腕時計を例示したが、時刻をデジタル表示する腕時計であってもよい。
バンド５は、ステンレス、チタン等の金属材料で形成された駒を多数連結して構成される、もしくは皮、レジンなどの材料で形成されたものでも良い。バンド５は、上バンド５Ａと、下バンド５Ｂとからなり、これら上バンド５Ａと、下バンド５Ｂとは、この腕時計１を装着部位（装着者の手首）に止めるため、中留め７で結束される。なお、バンド５は、金属材料で形成された駒を多数連結して構成されるものに限定されず、例えば、皮バンド、ウレタン・ゴム等のラバー系バンドであってもよい。
【０００８】
図２は、中留め７を示す。この中留め７は、上バンド５Ａにピン１１を介して連結された上箱１２と、この上箱１２にピン１３を介して連結された中板１４と、この中板１４に連結部１５を介して連結された下板１６とを有し、この下板１６は下バンド５Ｂに連結部１７を介して連結されている。この下板１６には食付きピン（食付き部）１８が一体に形成されている。この食付きピン１８は、中留め７が閉じられたとき、中板１４の窓孔１９を貫通し、上箱１２内に延出し、この上箱１２内で、一つの操作部２１により解除されるロック機構（図示せず）に食い付かれる。これによって、この上箱１２内に中板１４及び下板１６が収められた場合、上箱１２からの中板１４及び下板１６の離脱が阻止され、中留め７の閉じた状態がロックされる。
【０００９】
図３乃至図５は、ロック機構を示す。
このロック機構を解除する一つの操作部２１は、上箱１２の側壁１２Ａの開口１２Ｂから外方に突出している。この操作部２１は、上箱１２内にこの上箱１２とほぼ平行に延びる延長部２２を有し、この延長部２２には、下板１６に設けられた食付きピン１８に食い付くほぼ矩形状の食付き孔２３が形成されている。操作部２１の先端にはピン２４を介して折り畳み部２５が連結されていて、初期位置では側壁１２Ａと並行に倒れている。
この操作部２１は、二つのばね２６によって付勢されている。
【００１０】
つぎに、この実施形態の動作を説明する。
図３は、中留め７が閉じた状態を示している。この場合、下板１６の食付きピン１８の首部に、延長部２２の食付き孔２３が食い付いており、上箱１２からの中板１４及び下板１６の離脱が阻止され、中留め７の閉じた状態がロックされている。このロックを解除する場合、図４に示すように、操作部２１に連結される折り畳み部２５を、まず初期位置（図３の位置）から前記操作部と水平位置に移動させ、且つ、そのままの位置で、当該操作部２１を、図５に示すように、上箱１２の内方への押し込み移動させる。
【００１１】
上記動作過程において、折り畳み部２５が初期位置すなわち側壁１２Ａと並行に倒れている段階では、図３に示すように、延長部２２の食付き孔２３から下板１６の食付きピン１８が外れず、折り畳み部２５を操作部２１と水平位置に移動させた後、当該操作部２１を、上箱１２の内方に移動させた場合、図５に示すように、延長部２２の食付き孔２３から下板１６の食付きピン１８が離脱し、中留め７が外れる。
上記構成では、操作部２１が、図３に示す初期位置にある場合、操作部２１と上箱１２の側壁１２Ａが当接されているため、当該操作部２１の上箱１２内方への移動は規制される。
【００１２】
本実施形態では、操作部２１がに連結される折り畳み部２５が初期位置にある場合に操作部２１への押し操作が行われようとしても、外箱１２の側壁１２Ａによって規制されるため、延長部２２の食付き孔２３から下板１６の食付きピン１８が外れることがなく、ロック解除する意志に反し、例えば、何かに操作部が接触しただけで、ロック解除されることがない。
従って、意志に反してロックが解除されて、例えば、腕から時計が外れ、これを紛失する等のトラブルが解消される。
【００１３】
本実施形態では、上箱１２の側壁１２Ａに一つの操作部２１を配置したため、両側に操作部を配置した従来のものと比較し、上箱１２の幅を狭めることができる。従って、上箱１２の幅を６ｍｍに抑えることも可能になり、女性用等の細幅バンドにも好適なものとなる。
【００１４】
以上、一実施形態に基づいて本発明を説明したが、本発明は、これに限定されるものでないことは明らかである。上記実施形態では、三折式の中留めについて説明したか、これに限定されず、例えば、図６に示すように、観音式中留め４１や、図７に示すように、セパレート式中留め５１等にも、上記構成を適用可能なことは云うまでもない。
【００１５】
【発明の効果】
本発明では、一つの操作部の操作によって、ロック機構を解除するに際し、誤操作が起こり得ない。上箱に一つの操作部を配置したため、両側に操作部を配置した従来のものと比較し、上箱の幅を狭めることができる。従って、上箱の幅を例えば６ｍｍ程度に抑えることも可能になり、女性用等の細幅バンドにも好適なものとなる。
【図面の簡単な説明】
【図１】本発明に係る腕時計の一実施形態を示す斜視図である。
【図２】中留めの斜視図である。
【図３】上箱の内部を示す平面図である。
【図４】上箱の内部を示す平面図である。
【図５】上箱の内部を示す平面図である。
【図６】別の実施形態を示す斜視図である。
【図７】別の実施形態を示す斜視図である。
【符号の説明】
１…腕時計
３…時計本体
５…バンド
７…中留め（結束部）
１２…上箱
１４…中板
１６…下板
１８…食付きピン
２１…操作部
２２…延長部
２３…食付き孔
２５…折り畳み部
２６…ばね
【図１】
2004283356.tif 000003
【図２】
2004283356.tif 000004
【図３】
2004283356.tif 000005
【図４】
2004283356.tif 000006
【図５】
2004283356.tif 000007
【図６】
2004283356.tif 000008
【図７】
2004283356.tif 000009